【手続補正書】
【提出日】平成15年7月23日(2003.7.23)
【手続補正１】
【補正対象書類名】明細書
【補正対象項目名】全文
【補正方法】変更
【補正の内容】
【発明の名称】筒状食品容器に使用する食品押し上げ具
【特許請求の範囲】
【請求項１】短筒部分が加わったボウル状成形物からなり、前記成形物を筒状容器内の底部に嵌入させると共に、前記成形物の内底内に食品の下部を収容し、前記成形物を、前記筒状容器の外側下端から順次上方に片手指で押圧して、前記筒状容器内を移動させて、前記筒状容器の開口部から前記食品を押し出すことができるようにしたことを特徴とする筒状食品容器に使用する食品押し上げ具。
【請求項２】円球状成形物からなり、前記成形物を筒状容器内の底部に嵌入させると共に、前記成形物の上面に食品をのせて収容し、前記成形物を、前記筒状容器の外側下端から順次上方に片手指で押圧して、前記筒状容器内を移動させて、前記筒状容器の開口部から前記食品を押し出すことができるようにしたことを特徴とする筒状食品容器に使用する食品押し上げ具。
【請求項３】短筒部分が加わった倒立した回転放物体状乃至円錐体状成形物からなり、前記成形物を筒状容器内の底部に嵌入させると共に、前記成形物の上面に食品をのせて収容し、前記成形物を、前記筒状容器の外側下端から順次上方に片手指で押圧して、前記筒状容器内を移動させて、前記筒状容器の開口部から前記食品を押し出すことができるようにしたことを特徴とする筒状食品容器に使用する食品押し上げ具。
【発明の詳細な説明】
【０００１】
【発明の属する技術分野】
本発明は、筒状食品容器に使用する食品押し上げ具に関する。
【０００２】
【従来の技術】
従来の食品容器は、飲料を除いて収容した食品を食するときは、食品容器を開いたのち、箸、さじ、フオーク等の道具を介して、又は、直接手づかみで行われていた。
従つて、従来の食品容器は、歩行中、乗車中、作業中などで身体が動揺していたり、視力を食事以外のことに集中しなければならないとき、病気、身体障害などで手指先が不自由なときは、通常の食事方法が困難な場合が多い。
本発明者は、箸、さじ、フオーク、皿等の道具や食器を使用することなく、また、手を汚すことなく、さらに汚れた手であつても、片手指で、食品容器の外側の下端をつまんで、又は、にぎつて順次上方に押圧すれば、内部に入れた食品を容器の開口部から押し出して、そのまま口移しして食することができるようにした筒状容器に使用する食品の押し上げ具の開発に成功した。
【０００３】
【発明が解決しようとする課題】
本発明は、歩行中、乗車中、作業中、病気中のときや、身体障害者、視力障害者、老人、幼児などで、通常の食事方法が困難な場合に、道具や食器を使用することなく、手指を汚すことなく、また、汚れた手であつても、衛生的に口元へ食品をもつてゆき、確実に食事をすることができるようにした筒状食品容器に使用する食品押し上げ具を提供するものである。
また、本発明は、片手指で、容器の外側下部をつまんで、又は、にぎって順次上方に押圧してゆけば、容易に食品が容器の開口部から出て、直接口元へ移すことができる筒状食品容器に使用する食品押し上げ具を提供するものである。
また、本発明は、少量多種類の食品を、栄養的に、選択的に、食事するのに適した筒状食品容器に使用する食品押し上げ具を提供するものである。
また、本発明は、小型化が可能で、小物入れバッグやポケットなどに容易に収納して携行でき、また、店頭陳列に場所をとらず、多量の保存、運搬、使用後の廃品処理に便利な、筒状食品容器に使用する食品押し上げ具を提供するものである。
更に、本発明は、製作容易で安価につく、筒状食品容器に使用する食品押し上げ具を提供するものである。
【０００４】
【課題を解決するための手段】
本発明の筒状食品容器に使用する食品押し上げ具は、上記課題を達成するため、図１乃至図７に示すように、短筒部分３２が加わったボウル状成形物３０からなり、前記成形物３０を筒状容器１０又は１０Ｂ内の底部１３又は１３Ｂに嵌入させると共に、前記成形物３０の内底３３内に食品４０の下部を収容し、前記成形物３０を、前記筒状容器１０又は１０Ｂの外側下端１３又は１３Ｂから順次上方に片手指で押圧して、前記筒状容器１０又は１０Ｂ内を移動させて、前記筒状容器１０又は１０Ｂの開口部１１又は１１Ｂから前記食品４０を押し出すことができるようにしたものである。
また、本発明の筒状食品容器に使用する食品押し上げ具は、上記課題を達成するため、図８乃至図１４に示すように、円球状成形物３０Ｃからなり、前記成形物３０Ｃを筒状容器１０又は１０Ｂ内の底部１３又は１３Ｂに嵌入させると共に、前記成形物３０Ｃの上面に食品４０Ｃをのせて収容し、前記成形物３０Ｃを、前記筒状容器１０又は１０Ｂの外側下端１３又は１３Ｂから順次上方に片手指で押圧して、前記筒状容器１０又は１０Ｂ内を移動させて、前記筒状容器１０又は１０Ｂの開口部１１又は１１Ｂから前記食品４０Ｃを押し出すことができるようにしたものである。
更に、本発明の筒状食品容器に使用する食品押し上げ具は、上記課題を達成するため、図１５乃至図２１に示するように、短筒部分３２Ｄが加わった倒立した回転放物体状乃至円錐体状成形物３０Ｄからなり、前記成形物３０Ｄを筒状容器１０又は１０Ｂ内の底部１３又は１３Ｂに嵌入させると共に、前記成形物３０Ｄの上面に食品４０Ｄをのせて収容し、前記成形物３０Ｄを、前記筒状容器１０又は１０Ｂの外側下端１３又は１３Ｂから順次上方に片手指で押圧して、前記筒状容器１０又は１０内を移動させて、前記筒状容器１０又は１０Ｂの開口部１１又は１１Ｂから前記食品４０Ｄを押し出すことができるようにしたものである。
本発明において、食品押し上げ具は、短筒部分が加わったボウル状成形物、円球状成形物、短筒部分が加わった倒立した回転放物体状乃至円錐体状成形物は、通常、硬質乃至半硬質の薄肉合成樹脂成形物品でつくられるが、紙製成形物、繊維製成形物、木製成形物等のほか、食品製成形物、食品練製品、食品燻製品、あめ成形物等の材料からもつくられる。
また、本発明において、食品は、おにぎり、巻ずし等のめし類、はんぺん等の練製品、ウインナ等の燻製品、菓子、パン等の多種類のものが含まれる。
また、本発明における食品は、そのまま食べられる食品のほか、調理又は加熱などの処理をする必要のある食品にも適用される。
また、本発明において、容器、容器の蓋は、ポリエチレン、ポリプロピレン、ポリエチレンテレフタレート等の公知の合成樹脂製薄肉成形品又は容器は薄合成樹脂製フィルム製品が望ましい。
また、本発明において、容器の蓋に代わるフイルム被覆物は、ポリエチレン、ポリプロピレン等の公知の合成樹脂製薄フイルムが望ましい。また、蓋の代りにゴム輪で筒状袋上部を巻回してもよい。
さらに、本発明において、容器の外側下端は、片手指の親指先と人差し指先、又は親指先と人差し指先と中指先でつまんだり、容器の外側下端から複数の片手指でにぎつたりして、押し上げ具を容器内に上昇させることができる。
【０００５】
【発明の実施の形態１】
本発明の実施の形態が図１乃至図５に示されている。
本発明実施例の食品容器は、筒状容器１０と短筒部分３２が加わったボウル状成形物３０と蓋２０とを備えている。
筒状容器１０は、薄肉のポリエチレン、ポリプロピレン、ポリエチレンテレフタレート等の合成樹脂製成形品で、胴部１２は円筒状に形成され、上端は開口されて開口部１１を形成し、下端部１３は先細の中空半円球状の底部を形成している。１１１は、蓋締めのために１条又は複数条設けることができる凸条である。凸条１１１は必ずしも必要ではない。
短筒部分３２が加わったボウル状成形物３０は、図２に示すように、半硬質乃至硬質の、指先でおさえて凹まない程度の薄肉のポリプロピレン、ポリエチレンテレフタレート等の合成樹脂製成形品で、上端は開口部３１を形成し、続く短い短筒部分の胴部３２の下端は、中空半円球状乃至中空回転放物体状の底部３３を形成している。
蓋２０は、図３に示すように、薄肉の軟質乃至半硬質のポリエチレン等の合成樹脂製成形品で、胴部２１は、筒状容器１０の開口部１１及び胴部１２上部に外嵌合により蓋締めしたとき、開口部１１の上方に一定空隙Ｓを残すようにつくられ、また、１条又は複数条の凸条２１１は、対応する裏側の凹条が筒状容器１０の胴部１２上部の凸条１１１に外嵌合して蓋締めするものであるが、必ずしも必要ではない。
従つて、筒状容器１０内の胴部１２の底部１３に、図１に示すように、ボウル状成形物３０に食品４０の下部を入れたものを嵌入すると共に、続いて、１個又は複数個に分けた食品４０を入れ、蓋２０で蓋締めすれば、携帯用容器としての食品容器が出来上がる。
使用するときは、図４に示すように、筒状容器１０の下端部１３を、外側から親指先と人差し指先、又は親指先と人差し指先と中指先の片手指先でつまんで、成形物３０を容器１０の外側から押圧し、順次上方に押圧し、ボウル状成形物３０を容器１０内を移動させて、筒状容器１０内の食品４０を筒状容器１０内に上昇させてゆけば、食品４０は開口部１１から出て、そのまま直接口元に移して食事をすることができる。
また、図５に示すように、筒状容器１０内の下端部１３を、外側から握るように押圧し、ボウル状成形物３０を順次筒状容器１０下端から上方に押圧して、ボウル状成形物３０を容器１０内を移動させて、筒状容器１０内の食品４０を筒状容器１０内を上昇させてゆけば、食品４０は開口部１１から出て、そのまま直接口元に移して食事をすることができる。
なお、筒状容器１０の蓋２０は、片手指先で筒状容器１０から取り除くこともできるが、食品の上昇に伴って自然に押し出されて除くこともできる。
【０００６】
【発明の実施の形態２】
本発明の別の実施の形態が図６に示されている。
本発明実施例の食品容器は、筒状容器１０と短筒部分３２が加わったボウル状成形物３０とフイルム被覆物２０Ｂとを備えている。
筒状容器１０及びボウル状成形物３０は発明の実施の形態１と同じであるので、詳細説明は省略する。
フイルム被覆物２０Ｂは、ポリプロピレン等の薄合成樹脂フイルムで、ゴムバンド２２Ｂで筒状容器１０の胴部１２上部の開口部１１１下方の外周面に緊締できるようにしたものである。
従つて、本発明の筒状容器１０内の胴部１２に、図６に示すように、開口部１１からボウル状成形物３０に食品４０の下部を入れると共に、続いて１個又は複数個の食品４０をのせ、開口部１１を筒状容器１０の胴部１２上部の外側からフイルム２０Ｂで被覆し、ゴムバンド２２Ｂで胴部１２を緊締すれば、携帯用容器としての食品容器が出来上がる。使用法については、発明の実施の形態１と同じであるので、詳細説明は省略する。
【０００７】
【発明の実施の形態３】
本発明の別の実施の形態が図７に示されている。
本発明実施例は、筒状容器１０Ｂと短筒部分３２が加わったボウル状成形物３０とを備えている。
ボウル状成形物３０は発明の実施の形態１と同じであるので、詳細説明は省略する。
筒状容器１０Ｂは、ポリエチレン、ポリプロピレン等の薄合成樹脂フイルム製、又は、これらの積層フイルム製の公知の袋状容器で、ゴムバンド２２Ｂで筒状容器１０Ｂの胴部１２Ｂ上部の開口部１１Ｂ下方に緊締できるようにしたものである。
従つて、本発明の筒状容器１０Ｂ内の胴部１２に、図７に示すように、開口部１１からボウル状成形物３０に食品４０の下部を入れ、続いて１個又は複数個の食品４０を入れ、開口部１１Ｂをゴムバンド２２Ｂで緊締すれば、携帯用容器としての食品容器が出来上がる。使用法については、発明の実施の形態１と同じであるので、詳細説明は省略する。
【０００８】
【発明の実施の形態４】
本発明の別の実施の形態が図８乃至図１２に示されている。
本発明実施例は、筒状容器１０と蓋２０と中空球状成形物３０Ｃとを備えている。
筒状容器１０及び蓋２０は、発明の実施の形態１と同じであるので、詳細説明は省略する。
中空球状成形物３０Ｃは、ピンポン球状又は２つ割り合せ球状につくられたポリプロピレン等の薄肉合成樹脂成形物である。
従つて、筒状容器１０内の胴部１２に、球状成形物３０Ｃを入れ、続いてその上面に１個又は複数個の食品４０Ｃを入れ、開口部１１を蓋２０で蓋締めすれば、携帯用容器としての食品容器が出来上がる。使用法は発明の実施の形態１と同じであるので、詳細説明は省略する。
【０００９】
【発明の実施の形態５】
本発明の別の実施の形態が図１３に示されている。
本発明実施例は、筒状容器１０とフィルム被覆物２０Ｂと中空球状成形物３０Ｃとを備えている。
筒状容器１０及び中空球状成形物３０Ｃは、発明の実施の形態４と同じであるので、詳細説明は省略する。
フィルム被覆物２０Ｂは、発明の実施の形態２と同じであるので、詳細説明は省略する。
使用法は発明の実施の形態４と同じであるので、詳細説明は省略する。
【００１０】
【発明の実施の形態６】
本発明の別の実施の形態が図１４に示されている。
本発明実施例は、筒状容器１０Ｂと中空球状成形物３０Ｃとを備えている。
中空球状成形物３０Ｃは、発明の実施の形態４と同じであるので、詳細説明は省略する。
筒状容器１０Ｂは、発明の実施の形態３と同じであるので、詳細説明は省略する。
使用法は発明の実施の形態４と同じであるので、詳細説明は省略する。
【００１１】
【発明の実施の形態７】
本発明の別の実施の形態が図１５乃至図１９に示されている。
本発明実施例は、筒状容器１０と蓋２０と短筒部分３２Ｄが加わった倒立した回転放物体状乃至円錐体状成形物３０Ｄとを備えている。
筒状容器１０及び蓋２０は、発明の実施の形態１と同じであるので、詳細説明は省略する。
短筒部分３２Ｄが加わった倒立した回転放物体状乃至円錐体状成形物３０Ｄは、ポリプロピレン等の薄肉硬質又は半硬質の合成樹脂成形物からつくられている。
従つて、筒状容器１０内の胴部１２に、成形物３０Ｄを底部内１３に入れ、続いてその上面３１Ｄに１個又は複数個の食品４０Ｄを入れ、開口部１１を蓋２０で蓋締めすれば、携帯用容器としての食品容器が出来上がる。
使用法は発明の実施の形態１と同じであるので、詳細説明は省略する。
【００１２】
【発明の実施の形態８】
本発明の別の実施の形態が図２０に示されている。
本発明実施例は、筒状容器１０と短筒部分３２Ｄが加わった倒立した回転放物体状乃至円錐体状成形物３０Ｄとフィルム被覆物２０Ｂとを備えている。
筒状容器１０及び成形物３０Ｄは、発明の実施の形態７と同じであるので、詳細説明は省略する。
フィルム被覆物２０Ｂは、発明の実施の形態２と同じであるので、詳細説明は省略する。
使用法は発明の実施の形態４と同じであるので、詳細説明は省略する。
【００１３】
【発明の実施の形態９】
本発明の別の実施の形態が図２１に示されている。
本発明実施例は、筒状容器１０Ｂと短筒部分３２Ｄが加わった倒立した回転放物体状乃至円錐体状成形物３０Ｄとを備えている。
成形物３０Ｄは、発明の実施の形態７と同じであるので、詳細説明は省略する。
筒状容器１０Ｂは、発明の実施の形態３と同じであるので、詳細説明は省略する。
使用法は発明の実施の形態７と同じであるので、詳細説明は省略する。
【００１４】
【発明の効果】
本発明によれば、本発明食品押し上げ具は、これを筒状容器に使用すれば、（１）片手指で容器の底部を外側から順次押して、食品を前記容器内で上昇させて、容器の開口部から順次押し出し直接口に移すことができる。（２）歩行中、車中、作業中でも、手を汚さずに、また、箸、サジ、皿、茶わん等の食器を使用せずに、さらに、手を洗わなくても、衛生的に食品が食べられ、歩行者、作業者、運転者、老人、身障者、幼児、病人などの食事に好適である。（３）食事は、小形化した容器毎に種類の異なる食品を収容して手軽に食べられて、嗜好的にも栄養的にも満足することができ、また、小物入れバッグやポケットなどに容易に収納して携行でき、極めて便利である。（４）小型の携帯用食品容器に形成できるので、多量の保管や運搬ができ、店頭販売も便利で、使用後の廃品処理も簡単である。（５）また、本発明の食品押し上げ具は、製作容易で極めて安価につく。など、本発明の実用的価値は極めて大きい。
【図面の簡単な説明】
【図１】本発明の実施の形態を示す説明図である。
【図２】図１に使用する本発明の食品押し上げ具の説明図である。
【図３】図１に使用した容器の蓋の説明図である。
【図４】図１の使用状態説明図である。
【図５】図１の別の使用状態説明図である。
【図６】本発明の別の実施の形態を示す説明図である。
【図７】本発明の別の実施の形態を示す説明図である。
【図８】本発明の別の実施の形態を示す説明図である。
【図９】図８に使用した本発明の食品押し上げ具の説明図である。
【図１０】図８に使用した容器の蓋の説明図である。
【図１１】図８の使用状態説明図である。
【図１２】図８の別の使用状態説明図である。
【図１３】本発明の別の実施の形態を示す説明図である。
【図１４】本発明の別の実施の形態を示す説明図である。
【図１５】本発明の別の実施の形態を示す説明図である。
【図１６】図１５に使用した本発明の食品押し上げ具の説明図である。
【図１７】図１５に使用した容器の蓋の説明図である。
【図１８】図１５の使用状態説明図である。
【図１９】図１５の別の使用状態説明図である。
【図２０】本発明の別の実施の形態を示す説明図である。
【図２１】本発明の別の実施の形態を示す説明図である。
【符号の説明】
１０、１０Ｂ  筒状容器
１１、１１Ｂ  筒状容器の開口部
１２、１２Ｂ  筒状容器の胴部
２０  蓋
２０Ｂ  フィルム被覆物
２２Ｂ  ゴムバンド
３０  短筒部分が加わったボウル状成形物
３０Ｃ  円球状成形物
３０Ｄ  短筒部分が加わった倒立した回転放物体状乃至円錐体状成形物
４０、４０Ｃ、４０Ｄ  食品